(57)【要約】      （修正有）【課題】排出部でシートの記憶部に書き込みを行い、排出部にセンサが設けられている構成でも、排出トレイに排出することができる情報伝送装置および記録装置を提供すること。【解決手段】書き込み装置３０９による非接触ＩＣタグへの書き込み完了後、記録媒体２０１を搬送方向とは逆方向に搬送することで、排出部にセンサ３０３が設けられている構成でも、排出トレイ３０５に記録媒体を排出することができる情報伝送装置および記録装置である。【選択図】図５
2020001217.tif 000002
【特許請求の範囲】
【請求項１】
記録媒体を搬送する搬送手段と、
前記搬送手段で所定方向に搬送される記録媒体に記録する記録手段と、
前記所定方向における前記搬送手段の後端部で、記録媒体が備えた記憶部に情報を伝送する情報伝送手段と、
記録媒体を積載可能で、記録媒体の積載方向に移動可能であり、前記情報伝送手段による伝送が完了した記録媒体を積載する積載手段と、
前記後端部に位置する記録媒体を検出可能であり、前記積載手段が記録媒体を積載可能な位置を検出する検出手段と、を備えた記録装置において、
前記情報伝送手段による伝送が完了すると、前記搬送手段は、前記検出手段によって検出されない位置まで、前記所定方向とは逆方向に記録媒体を搬送することを特徴とする記録装置。
【請求項２】
前記情報伝送手段は、前記記録手段による記録が完了した記録媒体が備えた記憶部に情報を伝送することを特徴とする請求項１に記載の記録装置。
【請求項３】
前記記憶部は、非接触ＩＣタグであり、
前記情報伝送手段は、非接触ＩＣタグへの情報の書き込みと読み込みの少なくとも一方を行うことを特徴とする請求項１または請求項２に記載の記録装置。
【請求項４】
前記検出手段は、前記積載手段に積載された記録媒体の内、最上位に位置する記録媒体と当接することで、前記積載手段が記録媒体を積載可能な位置を検出することを特徴とする請求項１ないし請求項３のいずれか１項に記載の記録装置。
【請求項５】
前記積載手段と前記情報伝送手段とは対向しており、前記積載手段が移動することで、前記積載手段と前記情報伝送手段とは、接近または離間することを特徴とする請求項１ないし請求項４のいずれか１項に記載の記録装置。
【請求項６】
前記情報伝送手段による情報の伝送が行われている間は、前記積載手段は、前記情報伝送手段と所定距離離間していることを特徴とする請求項５に記載の記録装置。
【請求項７】
前記搬送手段によって前記所定方向とは逆方向に記録媒体を搬送した後に、前記積載手段を移動することで、前記検出手段が、前記積載手段が記録媒体を積載可能な位置を検出することを特徴とする請求項１ないし請求項６のいずれか１項に記載の記録装置。
【請求項８】
前記記録手段は、記録媒体に液体を吐出して記録を行うことを特徴とする請求項１ないし請求項７のいずれか１項に記載の記録装置。
【請求項９】
記録媒体を前記搬送手段に供給する供給手段を更に備えていることを特徴とする請求項１ないし請求項８のいずれか１項に記載の記録装置。
【請求項１０】
記録媒体を所定方向に搬送可能な搬送手段と、
前記所定方向における前記搬送手段の後端部で、記録媒体が備えた記憶部に情報を伝送する情報伝送手段と、
記録媒体を積載可能で、記録媒体の積載方向に移動可能であり、前記情報伝送手段による伝送が完了した記録媒体を積載する積載手段と、
前記後端部に位置する記録媒体を検出可能であり、前記積載手段が記録媒体を積載可能な位置を検出する検出手段と、を備えた記録装置において、
前記情報伝送手段による伝送が完了すると、前記搬送手段は、前記検出手段によって検出されない位置まで、前記所定方向とは逆方向に記録媒体を搬送することを特徴とする情報伝送装置。
【発明の詳細な説明】
【技術分野】
【０００１】
本発明は、非接触ＩＣタグなどの情報の記憶部に、情報の書き込みと読み込みの少なくとも一方を行う情報伝送装置および記録装置に関する。
【背景技術】
【０００２】
情報の記憶部としての非接触ＩＣタグを含む複数のシートを連続的に搬送しつつ、リーダライタによって、それらのシートの記憶部に情報の書き込みまたは読み込みを行う情報伝送装置が知られている。
【０００３】
特許文献１には、書き込み装置が、シートの搬送方向と交差する略鉛直方向に延在する経路に沿って移動することで、情報の書き込みまたは読み込みに必要な空間を確保しつつ、装置全体の小型化を図る方法が提案されている。
【先行技術文献】
【特許文献】
【０００４】
【特許文献１】特開２０１７−１５１７３３号公報
【発明の概要】
【発明が解決しようとする課題】
【０００５】
排出トレイにシートを排出する直前に、排出部でシートの記憶部に書き込みを行い、その後、シートを排出トレイで受ける場合、書き込みするシート以外の排出されたシートの記憶部に書き込みの影響を与えないようにする必要がある。そのためには、書き込みの影響を与える領域の外まで排出トレイを下降させることが有効である。その場合、排出部にセンサが設けられている構成では、下降させた排出トレイを書き込み後に上昇させて停止させるには、センサによって、排出トレイに搭載されたシートの最上位のシートを検出することで排出トレイの動作を停止させる。
【０００６】
しかし、排出部にセンサが設けられている構成では、排出部でシートの記憶部に書き込みを行っている間のシートは、センサによって検知されている状態になる。そのため、シートへの書き込み完了後、排出トレイに排出するために下降させた排出トレイを上昇させても停止することができない。そのため、排出トレイに排出することができないという課題があった。
【０００７】
よって本発明は、排出部でシートの記憶部に書き込みを行い、排出部にセンサが設けられている構成でも、排出トレイに排出することができる情報伝送装置および記録装置を提供することを目的とする。
【課題を解決するための手段】
【０００８】
そのため本発明の記録装置は、記録媒体を搬送する搬送手段と、前記搬送手段で所定方向に搬送される記録媒体に記録する記録手段と、前記所定方向における前記搬送手段の後端部で、記録媒体が備えた記憶部に情報を伝送する情報伝送手段と、記録媒体を積載可能で、記録媒体の積載方向に移動可能であり、前記情報伝送手段による伝送が完了した記録媒体を積載する積載手段と、前記後端部に位置する記録媒体を検出可能であり、前記積載手段が記録媒体を積載可能な位置を検出する検出手段と、を備えた記録装置において、前記情報伝送手段による伝送が完了すると、前記搬送手段は、前記検出手段によって検出されない位置まで、前記所定方向とは逆方向に記録媒体を搬送することを特徴とする。
【発明の効果】
【０００９】
本発明によれば、排出部でシートの記憶部に書き込みを行い、排出部にセンサが設けられている構成でも、排出トレイに排出することができる情報伝送装置および記録装置を実現することができる。
【図面の簡単な説明】
【００１０】
【図１】（ａ）は記録システムを示した図であり、（ｂ）はカードの模式図である。
【図２】記録装置の主要部分を示した図である。
【図３】記録装置の構成を示したブロック図である。
【図４】情報書き込み開始前の記録装置の主要部分を示した図である。
【図５】情報書き込み後の記録装置の主要部分を示した図である。
【図６】記録、書き込み動作を示したフローチャートである。
【発明を実施するための形態】
【００１１】
以下、図面を参照して本発明の実施形態について説明する。  
図１（ａ）は、本実施形態を適用可能な記録装置１０１を含んだ記録システムを示した図であり、図１（ｂ）は、非接触ＩＣタグ（記憶部）２０５を内蔵したカード（シート、物体）２０１の模式図である。記録装置１０１は、ホスト装置１００とプリンタケーブル１０２によって接続されており、記録装置１０１は、ホスト装置１００が出力した画像データおよびカード２０１に関する情報などを制御コマンドとして受け取り記録を行う。カード２０１は記録媒体であり、非接触ＩＣタグ２０５は、電子情報を記憶可能な不揮発性メモリを搭載したＩＣチップ２０３と、ループアンテナ２０２と、を含み、紙もしくはＰＥＴ樹脂のフィルム２０４によって覆われている。なお、本実施形態では、樹脂で形成された比較的剛性の高いカードを例に説明する。カード（以下、記録媒体ともいう）２０１は電源を持たず、記録装置１０１に備わる後述の通信アンテナからの電波を利用して電力を発生させ、それを内部電源として、通信アンテナを介して非接触ＩＣタグ２０５に電子情報を書込むことができる。
【００１２】
図２は、記録装置１０１の主要部分を示した図である。記録装置１０１は、吐出口から液体（以下、インクともいう）を吐出可能な記録ヘッド３０１を含む記録ユニット３００と、記録ヘッド３０１の吐出口を保護する回復桶３０２と、記録媒体を略水平の矢印Ａ方向に搬送可能な搬送ユニット３１０と、を備えている。記録ヘッド３０１の吐出口は、記録媒体の幅全体に渡って複数配列されている。記録ヘッド３０１は、ブラックインク吐出用の記録ヘッド３０１Ｋ、シアンインク吐出用の記録ヘッド３０１Ｃ、マゼンタインク吐出用の記録ヘッド３０１Ｍ、およびイエローインク吐出用の記録ヘッド３０１Ｙを含む。
【００１３】
これらのインクを各記録ヘッドから記録媒体に吐出することで、記録媒体にカラー画像を記録することができる。記録ヘッド３０１は、電気熱変換素子（ヒータ）やピエゾ素子などの吐出エネルギ発生素子を用いて、吐出口からインクを吐出するように構成されている。吐出エネルギ発生素子としてヒータを用いた場合には、その発熱によってインクを発泡させ、その発泡エネルギを利用して、吐出口からインクを吐出することができる。
【００１４】
搬送ユニット３１０における搬送方向（矢印Ａ方向）（所定方向）の上流側には、カード２０１を複数格納可能な供給ユニット（カード供給部）３０６が配備されている。本実施形態の供給ユニット３０６は、記録媒体としてのカード２０１を複数積載可能な供給トレイ３０７を備えている。供給トレイ３０７は、カード２０１の搬送方向と交差（本実施形態の場合は、直交）する略鉛直方向（矢印α方向）（積載方向）に延在する経路に沿って、不図示のトレイ昇降モータにより昇降可能（移動可能）である。また、搬送ユニット３１０における搬送方向（矢印Ａ方向）の下流側には、カード２０１を複数積載可能な排出トレイ３０５が配備されている。排出トレイ３０５は、供給トレイ３０７と同様に、搬送方向（矢印Ａ方向）と交差する略鉛直方向（矢印α方向）に不図示のトレイ昇降モータにより昇降可能に構成されている。
【００１５】
搬送ユニット３１０の下流側には、排出トレイ３０５の昇降制御用に排出センサ３０３および排出センサフラグ３０４が配備されている。排出センサフラグ３０４は排出トレイ３０５に積載されたカード２０１の上面のいずれかの位置と当接することでカードを検出可能であり、排出センサ３０３が排出センサフラグ３０４を検出した場合に、排出トレイ３０５を下降または上昇を停止するよう制御する。
【００１６】
搬送方向における搬送ユニット３１０の上流側であり、記録ヘッド３０１の上流側近傍には、センサ（以下、「ＴＯＦセンサ」）３０８が設けられており、ＴＯＦセンサ３０８によって搬送される記録媒体の先端が検知される。記録ヘッド３０１は、ＴＯＦセンサ３０８が検知した記録媒体の先端検知をトリガにしてインクを吐出することにより、記録媒体に画像を記録する。
【００１７】
搬送ユニット３１０の下流側に設置される書き込みユニット１０３は、記録媒体としてのカード２０１の非接触ＩＣタグ２０５に、電子情報を書き込む書き込み装置３０９を有している。書き込み装置３０９は、排出トレイ３０５と対向する位置に設けられており、排出トレイ３０５が移動することで、書き込み装置３０９と排出トレイ３０５とは、接近または離間する。書き込み装置３０９は、非接触ＩＣタグへの情報の書き込みと読み込みの少なくとも一方を行うことができる。
【００１８】
図３は、記録装置１０１の構成を示したブロック図である。記録装置全体を制御するメインコントローラ５０１は、ＣＰＵ５０１ａを内蔵し、後述する種々の機能、すなわち入力データを記憶するための記憶制御機能、データ制御機能、および記録動作に必要な種々の設定のための設定制御機能などを有する。メインコントローラ５０１は、インタフェース（不図示）を介してホスト装置１００に接続されて、互いに信号の授受を行う。また、メインコントローラ５０１に接続されるＲＯＭ５０２は、制御プログラムなどを格納し、メインコントローラ５０１は、ＲＡＭ５０３を作業領域としてそれらのプログラムを実行する。ＲＡＭ５０３には、ＩＣタグデータをページ単位で格納するＩＣタグバッファメモリ５０４が含まれており、非接触ＩＣタグ２０５に書込むためにホスト装置１００から転送されたデータを格納する。
【００１９】
メインコントローラ５０１に接続されたＩＣタグ通信回路（書き込み装置通信回路）５０５は、書き込みユニット１０３に内包されている。ＩＣタグ通信回路５０５は、ＩＣタグ通信アンテナ（書き込み用通信アンテナ）５０６を通して、ＩＣタグバッファ５０４内のデータを非接触ＩＣタグ２０５に書込む。イメージバッファメモリ５０７は、ホスト装置１００から送信される画像データをページ単位で格納する。イメージバッファメモリ５０７は、ブラック成分、シアン成分、マゼンタ成分、シアン成分、イエロー成分の画像データのそれぞれを一時的に格納するイメージバッファ５０７Ｂｋ、５０７Ｃ、５０７Ｍ、５０７Ｙを含む。記録ヘッド３０１の吐出エネルギ発生素子は、ヘッド駆動回路５０９によって駆動される。
【００２０】
メインコントローラ５０１に接続されたドライバコントローラ５０８は、イメージバッファメモリ５０７にビットマップ形式で格納された各色成分の画像データにしたがって、ヘッド駆動回路５０９を制御する。これにより、画像データに基づいて記録ヘッド３０１がインクを吐出して記録媒体に画像を記録する。
【００２１】
駆動回路５１０は、供給トレイ３０７を昇降させる供給トレイ昇降機構の供給トレイ昇降モータ５１１および排出トレイ３０５を昇降させる排出トレイ昇降機構の排出トレイ昇降モータ５１２を駆動する。駆動回路５１３は、供給ユニット３０６の供給モータ５１４を駆動し、駆動回路５１５は、搬送ユニット３１０のモータ５１６を駆動する。これらの駆動回路は、いずれもメインコントローラ５０１によって制御される。センサ回路５１７は、排出センサ３０３、ＴＯＦセンサ３０８を含む種々のセンサを総称したものである。
【００２２】
図４（ａ）、（ｂ）は、情報書き込み開始前の記録装置１０１の主要部分を示した図である。記録装置１０１には、書き込み装置３０９が書き込む際に、非接触ＩＣタグ２０５に影響を及ぼしうる領域である干渉領域６００が設けられている。この領域に書き込みをする非接触ＩＣタグ以外の非接触ＩＣタグがあると、書き込みの影響を受ける虞がある。そのため、情報書き込み動作が開始される前に、排出トレイ３０５を干渉領域６００の外まで下降（所定距離離間）させ、干渉領域６００に排出トレイ３０５に積載されたカードが入らないようにすることが必要である。なお、排出トレイを下降させる距離は、下降可能な最大距離でもよく、干渉領域６００を抜けられる分の距離を計算にて求めて、求めた距離を下降してもよい。
【００２３】
図４（ａ）のように、排出トレイ３０５を降下させて、排出トレイ３０５上のカード２０１が干渉領域６００の外になるようにする。その後、供給モータ５１４を駆動して、供給トレイ３０７における最上位の１枚目のカード２０１ａが供給ユニット３０６から搬送ユニット３１０へ供給される。搬送されるカード２０１ａには記録が行われ、その後、図４（ｂ）のように、排出部の干渉領域６００内にカード２０１ａが入った状態で、カード２０１ａを保持する。カード２０１ａは、比較的剛性が高いため、図４（ｂ）のように（後端部で）片持ち状態で支持される。その際カード２０１ａは、排出センサフラグ３０４に当接し、排出センサ３０３によって検出された状態となる。この状態で、書き込み装置３０９が１枚目のカード２０１ａのＩＣタグ２０５にデータを書き込む。
【００２４】
図５（ａ）、（ｂ）は、情報書き込み後の記録装置１０１の主要部分を示した図である。本実施形態では、書き込み装置３０９による書き込みが完了すると、カード２０１ａは、図５（ａ）のように、矢印Ｂ方向に搬送されて、排出センサフラグ３０４から離間する。これによって、排出センサ３０３は非検出状態となる。本実施形態ではこのように、カードへの書き込みが完了すると、カードを搬送方向とは逆方向へ搬送して、カードを一旦排出部から退避させる。これによって、排出トレイ３０５の動作の検出に排出センサ３０３を利用することができるようになる。
【００２５】
その後、図５（ｂ）のように、排出トレイ３０５を上昇させて、排出センサ３０３と排出トレイ３０５に積載されたカード２０１とを当接させる。これにより、排出センサ３０３が検出状態となり、排出トレイ３０５の上昇動作が停止する。この状態で、供給モータ５１４を駆動して、カード２０１ａを矢印Ａ方向に搬送して、排出トレイ３０５の上に排出する。
【００２６】
図６は、本実施形態の記録装置１０１における記録、書き込み動作を示したフローチャートである。以下、このフローチャートを用いて本実施形態の記録、書き込み動作を説明する。  
Ｓ１で、記録指示を受信したか否かを判断して、受信していなければ、受信するまで判断を繰り返し行う。ホスト装置１００から記録指示を受信したら、Ｓ２で、排出トレイ３０５を下降させる。その後、Ｓ３で記録媒体を搬送ユニット３１０に供給して搬送し、搬送された記録媒体に対して記録ヘッド３０１で記録を行う。そして、Ｓ４で、搬送された記録媒体がデータを書き込む位置に到達したかを判断して、到達するまで判断を繰り返す。データ書き込み位置に記録媒体が到達したら、Ｓ５で記録媒体の搬送を停止し、Ｓ６で、排出トレイ３０５の下降が完了しているかを判断し、下降完了するまで判断を繰り返す。排出トレイ３０５の下降が完了すると、Ｓ７で、記録媒体の非接触ＩＣタグ２０５に対して書き込み装置３０９による書き込みが行われる。その後、Ｓ８で、書き込みが完了したか否かを判断し、書き込みが完了するまで判断を繰り返す。非接触ＩＣタグ２０５への書き込みが完了すると、Ｓ９で、記録媒体を搬送方向とは逆方向に搬送する。そして、Ｓ１０で、排出センサ３０３がＯＦＦであるかを判断して、排出センサ３０３がＯＦＦでなければＯＦＦになるまで判断を繰り返す。排出センサ３０３がＯＦＦになると、Ｓ１１で、記録媒体の搬送方向と逆方向への搬送を停止して、Ｓ１２で、排出トレイ３０５を上昇させる。その後、Ｓ１３で、排出トレイ３０５が上昇中に排出センサ３０３を検出したかを判断して、検出したら、Ｓ１４で排出トレイ３０５を下降させる。排出トレイ３０５を下降中、Ｓ１５で、排出センサ３０５がＯＦＦになったかを判断し、ＯＦＦになったら、Ｓ１６で、排出トレイ３０５を停止させる。これにより、排出トレイ３０５を排出位置の最上面で停止させることができる。その後、Ｓ１７で、記録媒体を排出して、Ｓ１８で、全ての記録が完了したかを判断する。完了していなければ、Ｓ２に戻って処理を繰り返し、完了していれば、記録、書き込み動作が終了となる。
【００２７】
なお、本実施形態では記録装置を例に説明したがこれに限定するものではなく、記録媒体の非接触ＩＣに情報を伝送する情報伝送装置に適用してもよい。
【００２８】
このように、非接触ＩＣタグ２０５への書き込み完了後、記録媒体を搬送方向とは逆方向に搬送する。これによって、排出部でシートの記憶部に書き込みを行い、排出部にセンサが設けられている構成でも、排出トレイに排出することができる情報伝送装置および記録装置を実現することができた。
【符号の説明】
【００２９】
１００  ホスト装置
１０１  記録装置
２０１  カード
２０５  非接触ＩＣタグ
３０１  記録ヘッド
３０３  排出センサ
３０５  排出トレイ
３０９  書き込み装置
３１０  搬送ユニット
６００  干渉領域
【図１】
2020001217.tif 000003
【図２】
2020001217.tif 000004
【図３】
2020001217.tif 000005
【図４】
2020001217.tif 000006
【図５】
2020001217.tif 000007
【図６】
2020001217.tif 000008